(57)【要約】【課題】防災用品を収容すると共に、避難生活が長期間に及ぶ場合には避難場所においても入手可能な飲料に適さない水から蒸留水を生成して飲料水を確保することができる収容容器を提供する。【解決手段】物品を出し入れするための開口部１ｃを有する収容部１を設け、前記開口部１ｃに配置され、水蒸気を冷却する水蒸気冷却器４を設けることにより、前記収容部１に海水を注ぎ込み、該海水を加熱して水蒸気を発生させ、発生した水蒸気を前記水蒸気冷却器４により冷却して蒸留水を生成する構成とした。【選択図】図１
2009056363.tif 000002
【特許請求の範囲】
【請求項１】
物品を出し入れするための開口部を備える収容容器において、
前記開口部に配置され、水蒸気を冷却する水蒸気冷却器を備え、
前記開口部から注ぎ込まれた水を加熱して発生させた水蒸気が前記水蒸気冷却器により冷却されるようにしてあることを特徴とする収容容器。
【請求項２】
前記水蒸気冷却器は側面に貫通孔を有する鍋状の本体部と、該本体部の底に開設してある水蒸気取込口と、該水蒸気取込口にその一端部を連結してあり、前記貫通孔にその他端部を連結してある水蒸気通流路とを備え、
前記開口部上に前記本体部の底を配置し、前記本体部に注ぎ込まれた冷却水の中に前記水蒸気通流路を配置させて水蒸気を冷却するようにしてあることを特徴とする請求項１に記載の収容容器。
【請求項３】
前記開口部周縁に、前記本体部の底を支持するフランジを設けてあり、該フランジ及び前記本体部の底が密着するようにしてあることを特徴とする請求項２に記載の収容容器。
【請求項４】
前記本体部の底に開設してあり、前記本体部に注ぎ込まれた冷却水を排出する排水口と、該排水口を封止する封止栓とを備えることを特徴とする請求項２又は３に記載の収容容器。
【請求項５】
前記貫通孔に蒸留水を取り出す取出筒部を設けてあり、該取出筒部は前記貫通孔に着脱することができるようにしてあることを特徴とする請求項２乃至４のいずれか一つに記載の収容容器。
【発明の詳細な説明】
【技術分野】
【０００１】
本発明は物品を収容する収容容器に関する。
【背景技術】
【０００２】
防災用品を収容する従来の収容容器は、飲料水を詰めたペットボトル又は水筒を前記収容容器に収容して、災害時の水不足に対応するようにしている（特許文献１参照）。
【特許文献１】特開平１０−１１７８２６号公報
【発明の開示】
【発明が解決しようとする課題】
【０００３】
しかしながら避難生活が長期間に及ぶ場合には少量の飲料水では生活を維持することはできない。そこで多量の飲料水を詰めた大型のペットボトル又は水筒を収容するか、或いは多数のペットボトル又は水筒を収容して、長期間の避難に対応することが考えられるが、収容容器の容積には限界があり、また運搬可能な重量を考慮すれば、大型のペットボトル又は水筒を収容するか、或いは多数のペットボトル又は水筒を収容することは現実的ではない。
【０００４】
本発明は斯かる事情に鑑みてなされたものであり、物品を出し入れするための開口部に配置され、水蒸気を冷却する水蒸気冷却器を設けることにより、前記開口部から水、例えば海水を注ぎ込み、該水を加熱して水蒸気を発生させ、発生した水蒸気を前記水蒸気冷却器により冷却して蒸留水を生成し、防災用品を収容すると共に、避難生活が長期間に及ぶ場合には避難場所においても入手可能な飲料に適さない水から蒸留水を生成して飲料水を確保することができる収容容器を提供することを目的とする。
【０００５】
また側面に貫通孔を有する鍋状の本体部と、該本体部の底に開設してある水蒸気取込口と、該水蒸気取込口にその一端部を連結してあり、前記貫通孔にその他端部を連結してある水蒸気通流路とを備える水蒸気冷却器を設け、前記開口部上に前記本体部の底を配置し、前記本体部に注ぎ込まれた冷却水の中に前記水蒸気通流路を配置することにより、前記開口部から注ぎ込まれた水を加熱して発生させた水蒸気を、前記水蒸気取込口から取込み、前記水蒸気通流路に通流させて冷却し、防災用品を収容すると共に、避難生活が長期間に及ぶ場合には避難場所においても入手可能な飲料に適さない水から蒸留水を生成して飲料水を確保することができる収容容器を提供することを目的とする。
【０００６】
また前記開口部周縁に、前記本体部の底を密着して支持するフランジを設けることにより、前記フランジと前記本体部の底との間の僅かな隙間を、水蒸気が凝縮した水からなるウォーターシールで封止し、前記本体部に注ぎ込まれた水を加熱して発生させた水蒸気が前記フランジと前記本体部の底との間から漏出することを防止することができる収容容器を提供することを目的とする。
【０００７】
また前記本体部の底に、前記本体部に注ぎ込まれた冷却水を排出する排水口を開設し、該排水口を封止する封止栓を設けることにより、前記収容部に注ぎ込まれた水が加熱により減少したときに、前記封止栓を取外し、前記冷却水を、前記本体部の下側に設けてあり、物品が収容される収容部に排出して該収容部を水で満たし、前記本体部から全ての冷却水を排出した後に前記排水口を前記封止栓で封止し、前記本体部に冷却水を供給して継続的に蒸留水を生成することができる収容容器を提供することを目的とする。
【０００８】
また前記貫通孔に着脱可能な蒸留水を取り出す取出筒部を設けることにより、運搬するときには前記取出筒部を取外して小型化を図ることができる収容容器を提供することを目的とする。
【課題を解決するための手段】
【０００９】
第１発明に係る収容容器は、物品を出し入れするための開口部を備える収容容器において、前記開口部に配置され、水蒸気を冷却する水蒸気冷却器を備え、前記開口部から注ぎ込まれた水を加熱して発生させた水蒸気が前記水蒸気冷却器により冷却されるようにしてあることを特徴とする。
【００１０】
本発明においては、物品を出し入れするための開口部に配置され、水蒸気を冷却する水蒸気冷却器を設けることにより、前記開口部から水、例えば海水を注ぎ込み、該水を加熱して水蒸気を発生させ、発生した水蒸気を前記水蒸気冷却器により冷却して蒸留水を生成する。
【００１１】
第２発明に係る収容容器は、前記水蒸気冷却器は側面に貫通孔を有する鍋状の本体部と、該本体部の底に開設してある水蒸気取込口と、該水蒸気取込口にその一端部を連結してあり、前記貫通孔にその他端部を連結してある水蒸気通流路とを備え、前記開口部上に前記本体部の底を配置し、前記本体部に注ぎ込まれた冷却水の中に前記水蒸気通流路を配置させて水蒸気を冷却するようにしてあることを特徴とする。
【００１２】
本発明においては、側面に貫通孔を有する鍋状の本体部と、該本体部の底に開設してある水蒸気取込口と、該水蒸気取込口にその一端部を連結してあり、前記貫通孔にその他端部を連結してある水蒸気通流路とを備える水蒸気冷却器を設け、前記開口部上に前記本体部の底を配置し、前記本体部に注ぎ込まれた冷却水の中に前記水蒸気通流路を配置することにより、前記開口部から注ぎ込まれた水を加熱して発生させた水蒸気を、前記水蒸気取込口から取込み、前記水蒸気通流路に通流させて冷却する。
【００１３】
第３発明に係る収容容器は、前記開口部周縁に、前記本体部の底を支持するフランジを設けてあり、該フランジ及び前記本体部の底が密着するようにしてあることを特徴とする。
【００１４】
本発明においては、前記開口部周縁に、前記本体部の底を密着して支持するフランジを設けることにより、前記フランジと前記本体部の底との間の僅かな隙間を、水蒸気が凝縮した水からなるウォーターシールで封止する。
【００１５】
第４発明に係る収容容器は、前記本体部の底に開設してあり、前記本体部に注ぎ込まれた冷却水を排出する排水口と、該排水口を封止する封止栓とを備えることを特徴とする。
【００１６】
本発明においては、前記本体部の底に、前記本体部に注ぎ込まれた冷却水を排出する排水口を開設し、該排水口を封止する封止栓を設けることにより、前記本体部の下側に設けてあり、物品が収容される収容部に注ぎ込まれた水が加熱により減少したときに、前記封止栓を取外し、前記冷却水を、前記収容部に排出して該収容部を水で満たす。
【００１７】
第５発明に係る収容容器は、前記貫通孔に蒸留水を取り出す取出筒部を設けてあり、該取出筒部は前記貫通孔に着脱することができるようにしてあることを特徴とする。
【００１８】
本発明においては、前記貫通孔に着脱可能な蒸留水を取り出す取出筒部を設けることにより、運搬するときには前記取出筒部を取外して収容容器の小型化を図る。
【発明の効果】
【００１９】
第１発明に係る収容容器にあっては、物品を出し入れするための開口部に配置され、水蒸気を冷却する水蒸気冷却器を設けることにより、前記開口部から水、例えば海水を注ぎ込み、該水を加熱して水蒸気を発生させ、発生した水蒸気を前記水蒸気冷却器により冷却して蒸留水を生成し、防災用品を収容すると共に、避難生活が長期間に及ぶ場合には避難場所においても入手可能な飲料に適さない水から蒸留水を生成して飲料水を確保することができる。
【００２０】
第２発明に係る収容容器にあっては、側面に貫通孔を有する鍋状の本体部と、該本体部の底に開設してある水蒸気取込口と、該水蒸気取込口にその一端部を連結してあり、前記貫通孔にその他端部を連結してある水蒸気通流路とを備える水蒸気冷却器を設け、前記開口部上に前記本体部の底を配置し、前記本体部に注ぎ込まれた冷却水の中に前記水蒸気通流路を配置することにより、前記開口部から注ぎ込まれた水を加熱して発生させた水蒸気を、前記水蒸気取込口から取込み、前記水蒸気通流路に通流させて冷却し、防災用品を収容すると共に、避難生活が長期間に及ぶ場合には避難場所においても入手可能な飲料に適さない水から蒸留水を生成して飲料水を確保することができる。
【００２１】
第３発明に係る収容容器にあっては、前記開口部周縁に、前記本体部の底を密着して支持するフランジを設けることにより、前記フランジと前記本体部の底との間の僅かな隙間を、水蒸気が凝縮した水からなるウォーターシールで封止し、前記本体部に注ぎ込まれた水を加熱して発生させた水蒸気が前記フランジと前記本体部の底との間から漏出することを防止することができる。
【００２２】
第４発明に係る収容容器にあっては、前記本体部の底に、前記本体部に注ぎ込まれた冷却水を排出する排水口を開設し、該排水口を封止する封止栓を設けることにより、前記収容部に注ぎ込まれた水が加熱により減少したときに、前記封止栓を取外し、前記冷却水を、前記本体部の下側に設けてあり、物品が収容される収容部に排出して該収容部を水で満たし、前記本体部から全ての冷却水を排出した後に前記排水口を前記封止栓で封止し、前記本体部に冷却水を供給して継続的に蒸留水を生成することができる。
【００２３】
第５発明に係る収容容器にあっては、前記貫通孔に着脱可能な蒸留水を取り出す取出筒部を設けることにより、運搬するときには前記取出筒部を取外して小型化を図ることができる。
【発明を実施するための最良の形態】
【００２４】
（実施の形態１）
以下本発明を実施の形態１に係る収容容器を示す図面に基づいて詳述する。図１は収容容器を示す模式的分解斜視図、図２は収容容器を示す模式的断面図である。
【００２５】
図において、１は収容容器の鍋状の収容部であり、該収容部１は円形の底部１ａと、該底部１ａの縁から立ち上げてある円筒形の側面部１ｂとを備え、該側面部１ｂの上縁部分は物品を出し入れする開口部１ｃになっている。前記側面部１ｂの上部に二つの取手２、２を設けてあり、該取手２、２は互いに対向するように配置されている。前記開口部１ｃにフランジ３が周設してあり、該フランジ３は前記開口部１ｃから、前記側面部１ｂの直径方向に沿って外向きに張出し、湾曲しながら上方へ延出し、先端部が前記底部１ａに対して略垂直になるように立ち上げてある。
【００２６】
また収容容器は、前記フランジ３の上側に配置される水蒸気冷却器４を備える。該水蒸気冷却器４は鍋状の本体部５を備えており、該本体部５は円形の底部５ａと、該底部５ａの縁から立ち上げてある円筒形の側面部５ｂとを備える。該側面部５ｂの上部に二つの取手６、６を設けてあり、該取手６、６は互いに対向するように配置されている。
前記底部５ａから前記側面部５ｂの下部に亘り断熱部材６ａが設けてある。また前記底部５ａの中央部分に、水蒸気を取込む水蒸気取込口６ｂが前記底部５ａを貫通させて開設してあり、該水蒸気取込口６ｂから水蒸気を送る導管７を立ち上げてある。該導管７の先端部は前記側面部５ｂに向けて屈曲しており、該先端部に水蒸気が通流する伝熱効率の高い水蒸気通流路８の一端部を連結させてある。該水蒸気通流路８は、前記導管７の先端部から前記側面部５ｂに向けて適長延出し、前記導管７を中心にして前記底部５ａに向けて螺旋状に延設してあり、該水蒸気通流路８の他端部が後述する取出筒部１０の一端部に連結している。
【００２７】
前記側面部５ｂの底部５ａ近傍に貫通孔９が開設してある。該貫通孔９に、蒸留水を取り出す取出筒部１０の中途部を嵌合させてあり、該取出筒部１０は、一端部を貫通孔９から前記本体部５の内側に向けて突出させ、他端部を貫通孔９から前記本体部５の外側に向けて突出させている。前記取出筒部１０は、前記一端部を上側にし、前記他端部を下側にして傾斜して配置されている。前記取出筒部１０の一端部と前記水蒸気通流路８の他端部とは連結しており、前記取出筒部１０の他端部は前記底部５ａ側に屈曲させてある。
前記底部５ａの側面部５ｂ近傍に、前記本体部５に注ぎ込まれた水を前記収容部１に排出する円形の排水口１１を開設してあり、該排水口１１に、排水口１１を封止する截頭円錐状の封止栓１２を設けてある。該封止栓１２を、その先細部分から前記排水口１１に挿入して嵌着し前記排水口１１を封止している。また前記封止栓１２にチェーン１３の一端部が連結してあり、該チェーン１３の他端部が前記側面部５ｂの上部に連結してある。
【００２８】
前記底部５ａの直径方向の寸法は、前記フランジ３の直径方向の寸法よりも僅かに小さい寸法にしてある。また前記底部５ａの縁部分は、前記底部５ａの直径方向に沿って外向きに張出し、湾曲しながら上方へ延出し、前記底部５ａに対して略垂直になるように前記側面部５ａに連なっている。
前記底部５ａの縁部分の形状は、前記フランジ３の形状に対応しており、前記水蒸気冷却器４を前記開口部１ｃに載置したときに、前記フランジ３と前記底部５ａとが密着するようにしてある。
【００２９】
次に実施の形態１に係る収容容器を使用して蒸留水を生成する工程について説明する。図３は収容容器を使用して蒸留水を生成している状態を示す模式的断面図、図４は本体部に注ぎ込んだ冷却水を収容部に排出している状態を示す模式的断面図である。
【００３０】
まず前記収容部１に蒸留水を生成するための原料となる海水（以下原料水Ｍという。）を注ぎ込む。次に前記水蒸気冷却器４を前記フランジ３上に載置し、前記本体部５に水蒸気を冷却するための海水（以下冷却水Ｃという。）を前記導管７及び通流管８が浸るまで注ぎ込む。そして前記収容部１の底部１ａを加熱し、前記原料水Ｍを加熱する。
【００３１】
加熱された原料水Ｍが沸騰したときに原料水Ｍから水蒸気が発生する。発生した水蒸気は前記フランジ３と前記底部５ａの縁部との僅かな隙間で凝縮し、前記フランジ３と前記底部５ａの縁部との間にウォーターシール２０が形成される。該ウォーターシール２０により、前記フランジ３と前記底部５ａの縁部との隙間から水蒸気は漏出せず、発生した水蒸気は前記水蒸気取込口６ｂを通過する。
【００３２】
前記水蒸気取込口６ｂを通過した水蒸気は、図３の矢印にて示す如く、前記導管７により前記水蒸気通流路８に送られる。前記水蒸気通流路８に送られた水蒸気は、水蒸気通流路８の周囲にある冷却水Ｃにより冷却されて凝縮し、蒸留水が生成される。生成された蒸留水は、図３の矢印にて示す如く、前記水蒸気通流路８を通って前記取出筒部１０から取り出される。
【００３３】
前記原料水Ｍの量が少なくなったときには、前記排水口１１に設けてある前記封止栓１２を取外し、図４に示す如く、冷却水Ｃを前記収容部１に排水する。そして全ての冷却水Ｃが前記収容部１に排水されたときに、前記封止栓１２を前記排水口１１に設けて前記排水口１１を封止する。その後、前記導管７び通流管８が浸るまで前記本体部５に冷却水Ｃを注ぎ込む。
【００３４】
次に防災用品３２を収容した状態での収容容器の運搬について説明する。図５は防災用品を収容した状態の収容容器を示す模式的透視図である。防災用品３２を収容した状態で収容容器を運搬するときは、前記収容部１に防災用品３２を収容し、前記水蒸気冷却器４を収容部１の上に載置し、前記水蒸気冷却器４の上に蓋３０を被せる。そして前記収容部１、水蒸気冷却器４及び蓋３０をバンド３１で括り運搬する。
【００３５】
実施の形態１に係る収容容器にあっては、物品を出し入れするための開口部１ｃを有する収容部１を設け、前記開口部１ｃに配置され、水蒸気を冷却する水蒸気冷却器４を設けることにより、前記収容部１に海水を注ぎ込み、該海水を加熱して水蒸気を発生させ、発生させた水蒸気を前記水蒸気冷却器４により冷却して蒸留水を生成し、防災用品を収容すると共に、避難生活が長期間に及ぶ場合には避難場所においても海水から蒸留水を生成して飲料水を確保することができる。
【００３６】
また鍋状の本体部５と、該本体部５の底に開設してある水蒸気取込口６ｂと、該水蒸気取込口６ｂにその一端部を連結してあり、前記本体部５の側面に開設してある貫通孔９にその他端部を連結してあって、水蒸気が通流する水蒸気通流路８とを備える水蒸気冷却器４を設け、前記開口部１ｃ上に前記本体部５の底を配置し、前記本体部５に注ぎ込まれた冷却水Ｃの中に前記水蒸気通流路８を配置することにより、前記収容部１に注ぎ込まれた海水を加熱して水蒸気を発生させ、発生させた水蒸気を前記水蒸気取込口６ｂから取込み、前記水蒸気通流路８を通流させて冷却し、防災用品３２を収容すると共に、避難生活が長期間に及ぶ場合には避難場所において海水から蒸留水を生成して飲料水を確保することができる。
【００３７】
また前記開口部１ｃ周縁に、前記底部５ａを密着して支持するフランジ３を設けることにより、前記フランジ３と前記底部５ａの縁部との間にある僅かな隙間を、水蒸気が凝縮してなるウォーターシール２０で封止し、前記本体部５に注ぎ込まれた海水を加熱して発生させた水蒸気が、前記フランジ３と前記底部５ａの縁部との間から漏出することを防止することができる。
【００３８】
また前記本体部５の底に、前記本体部５に注ぎ込まれた冷却水Ｃを前記収容部１に排出する排水口１１を開設し、該排水口１１を封止する封止栓１２を設けることにより、加熱により前記海水が減少したときに、前記封止栓１２を取外し、前記冷却水Ｃを前記収容部１に排出して前記収容部１を水で満たし、前記本体部５から全ての冷却水Ｃを排出した後に前記排水口１１を前記封止栓１２で封止し、その後前記本体部５に冷却水Ｃを供給して継続的に蒸留水を生成することができる。
【００３９】
なお前記本体部５に注ぎ込む水は、海水に限らず川水等その他の飲料に適さない水であっても良い。また前記フランジ３にパッキンを設けて、前記フランジ３と前記底部５ａの縁部との間を更に密着させても良い。また水蒸気通流路８はステンレス等その他の伝熱効率の高い素材で構成することが好ましい。また収容容器を運搬するときには前記バンド３１に限らず、前記収容部１及び水蒸気冷却器４、並びに前記水蒸気冷却器及び蓋３０を固定する部材を使用しても良い。
【００４０】
（実施の形態２）
以下本発明を実施の形態２に係る収容容器を示す図面に基づいて説明する。図６は取出筒部付近の略示拡大断面図である。
中途部に雄ねじ部４１を設けてある取出筒部４０が前記貫通孔９に設けてある。前記貫通孔９に雌ねじ部５１を設けてあり、該雌ねじ部５１に前記雄ねじ部４１を螺合させて、前記取出筒部４０を前記本体部５に取付けてある。前記取出筒部４０の一端部は前記貫通孔９から前記本体部５の内側に向けて突出し、前記取出筒部４０の他端部は前記貫通孔９から前記本体部５の外側に向けて突出しており、前記取出筒部４０の一端部に前記水蒸気通流路８の他端部を被覆させて、前記水蒸気通流路８及び前記取出筒部４０を連結してある。なお前記水蒸気通流路８の他端部は、前記取出筒部４０に密着する弾性部材で構成されている。
【００４１】
図７は防災用品を収容した状態の収容容器を示す模式的透視図である。収容容器を運搬するときには、前記雄ねじ部４１と、前記雌ねじ部５１との螺合を解除して、前記取出筒部４０を前記本体部５から取外す。そして取外した前記取出筒部４０を前記本体部５の内側に置いて、前記収容部１、水蒸気冷却器４及び蓋３０をバンド３１で括り運搬する。
【００４２】
実施の形態２に係る収容容器にあっては、前記貫通孔９に着脱可能な取出筒部４０を設けることにより、運搬するときには前記取出筒部４０を取外して収容容器の小型化を図ることができる。
また前記水蒸気通流路８の他端部を、前記取出筒部４０に密着する弾性部材で構成することにより、冷却水が前記取出筒部４０に侵入し、取り出した蒸留水に冷却水が混入することを防ぐことができる。
【００４３】
なお海水の漏出を確実に防ぐために前記雄ねじ部４１と、前記雌ねじ部５１とにシール部材を設けても良い。
【００４４】
実施の形態２に係る収容容器の構成の内、実施の形態１と同様な構成については同じ符号を付しその詳細な説明を省略する。
【図面の簡単な説明】
【００４５】
【図１】実施の形態１に係る収容容器を示す模式的分解斜視図である。
【図２】実施の形態１に係る収容容器を示す模式的断面図である。
【図３】実施の形態１に係る収容容器を使用して蒸留水を生成している状態を示す模式的断面図である。
【図４】実施の形態１に係る収容容器の本体部に注ぎ込んだ冷却水を収容部に排出している状態を示す模式的断面図である。
【図５】実施の形態１に係る収容容器に防災用品を収容した状態の収容容器を示す模式的透視図である。
【図６】実施の形態２に係る収容容器の取出筒部付近の略示拡大断面図である。
【図７】実施の形態２に係る収容容器に防災用品を収容した状態の収容容器を示す模式的透視図である。
【符号の説明】
【００４６】
１  収容部
１ｃ  開口部
３  フランジ
４  水蒸気冷却器
５  本体部
６ｂ  水蒸気取込口
８  水蒸気通流路
９  貫通孔
１０、４０  取出筒部
１１  排水口
１２  封止栓
【図１】
2009056363.tif 000003
【図２】
2009056363.tif 000004
【図３】
2009056363.tif 000005
【図４】
2009056363.tif 000006
【図５】
2009056363.tif 000007
【図６】
2009056363.tif 000008
【図７】
2009056363.tif 000009